(57)【要約】  本発明は、情報報告方法、端末及びネットワーク機器を提供し、通信技術分野に関し、インアクティブ期間にある端末のＤＲＸモードにおけるＣＳＩ報告の報告ルールを明確にするためのものである。当該情報報告方法は、端末が間欠受信ＤＲＸモードにある場合、端末が第１の情報に基づいて、インアクティブ期間にある端末がチャネル状態情報ＣＳＩ報告を行うか否かを決定することを含み、当該第１の情報は、インアクティブ期間にある端末によるＣＳＩ報告時のＣＳＩ報告の許容、又は、インアクティブ期間にある端末によるＣＳＩ報告時の物理上り共有チャネルＰＵＳＣＨを介して報告される半永続的又は非周期的なＣＳＩ報告の禁止を指示する。【選択図】図２
2021517434.tif 000002
【特許請求の範囲】
【請求項１】
端末に適用する情報報告方法であって、
前記端末が間欠受信ＤＲＸモードにある場合、第１の情報に基づいて、インアクティブ期間にある前記端末がチャネル状態情報ＣＳＩ報告を行うか否かを決定することを含み、
前記第１の情報は、インアクティブ期間にある前記端末によるチャネル状態情報ＣＳＩ報告時の前記チャネル状態情報ＣＳＩ報告の許容、又は、インアクティブ期間にある前記端末によるチャネル状態情報ＣＳＩ報告時の物理上り共有チャネルＰＵＳＣＨを介して報告される半永続的又は非周期的なチャネル状態情報ＣＳＩ報告の禁止を指示する情報報告方法。
【請求項２】
前記第１の情報は、インアクティブ期間にある前記端末がＣＳＩ報告時に、物理上りリンク制御チャネルＰＵＣＣＨを介して報告される周期的なＣＳＩ報告、ＰＵＣＣＨを介して報告される半永続的なＣＳＩ報告、ＰＵＳＣＨを介して報告される半永続的なＣＳＩ報告、ＰＵＳＣＨを介して報告される非周期的なＣＳＩ報告のうち、少なくとも１つを報告することを許容するよう指示する、請求項１に記載の情報報告方法。
【請求項３】
前記第１の情報に基づいて、インアクティブ期間にある前記端末がＣＳＩ報告を行うか否かを決定することの前に、
第１のＣＳＩ報告、及び前記第１のＣＳＩ報告の前回のＣＳＩ報告である第２のＣＳＩ報告を取得することをさらに含み、
前記第１の情報に基づいて、インアクティブ期間にある前記端末がＣＳＩ報告を行うか否かを決定することは、
前記第１の情報が、インアクティブ期間にある前記端末によるＣＳＩ報告時のＣＳＩ報告の許容を指示する場合、前記第１のＣＳＩ報告及び前記第２のＣＳＩ報告に基づいて、インアクティブ期間にある前記端末が前記第１のＣＳＩ報告の一部又は全部を報告するか否かを決定することを含む、請求項１に記載の情報報告方法。
【請求項４】
前記第１のＣＳＩ報告は、少なくとも１つの第１のリソースインデックスを含み、前記第２のＣＳＩ報告は、少なくとも１つの第２のリソースインデックスを含み、前記第１のリソースインデックス及び前記第２のリソースインデックスは、チャネル状態情報参照信号リソースインデックス又は同期信号ブロックインデックスを含み、
前記第１のＣＳＩ報告及び前記第２のＣＳＩ報告に基づいて、インアクティブ期間にある前記端末が前記第１のＣＳＩ報告の一部又は全部を報告するか否かを決定することは、
前記少なくとも１つの第１のリソースインデックスが前記少なくとも１つの第２のリソースインデックスと異なる場合、インアクティブ期間にある前記端末が前記第１のＣＳＩ報告の一部又は全部を報告すると決定することを含む、請求項３に記載の情報報告方法。
【請求項５】
前記第１のＣＳＩ報告は、少なくとも１つの第１のリソースインデックス及び各第１のリソースインデックスに対応する第１の参照信号受信電力ＲＳＲＰを含み、前記第２のＣＳＩ報告は、少なくとも１つの第２のリソースインデックス及び各第２のリソースインデックスに対応する第２のＲＳＲＰを含み、前記第１のリソースインデックス及び前記第２のリソースインデックスは、チャネル状態情報参照信号リソースインデックス又は同期信号ブロックインデックスを含み、
前記第１のＣＳＩ報告及び前記第２のＣＳＩ報告に基づいて、インアクティブ期間にある前記端末が前記第１のＣＳＩ報告の一部又は全部を報告するか否かを決定することは、
前記少なくとも１つの第１のリソースインデックスが前記少なくとも１つの第２のリソースインデックスと同じであり、かついずれかの第１のリソースインデックスに対応する第１のＲＳＲＰと、前記いずれかの第１のリソースインデックスと同じである第２のリソースインデックスに対応する第２のＲＳＲＰとの間の差分値が所定閾値以上である場合、インアクティブ期間にある前記端末が前記第１のＣＳＩ報告の一部又は全部を報告すると決定することを含む、請求項３に記載の情報報告方法。
【請求項６】
前記第１の情報は、予め定義され、又は、
前記第１の情報に基づいて、インアクティブ期間にある前記端末がＣＳＩ報告を行うか否かを決定することの前に、ネットワーク機器から送信される前記第１の情報を受信することをさらに含む、請求項１〜５のいずれか１項に記載の情報報告方法。
【請求項７】
第２の情報に基づいて、アクティブ期間にある前記端末のみが第１のイベントを行うと決定することをさらに含み、前記第２の情報は、アクティブ期間にある前記端末のみが、ビーム測定及び／又はＣＳＩ測定を含む前記第１のイベントを行うよう指示する、請求項１に記載の情報報告方法。
【請求項８】
前記第２の情報は、予め定義され、又は、
前記第２の情報に基づいて、アクティブ期間にある前記端末のみが第１のイベントを行うと決定することの前に、ネットワーク機器から送信される前記第２の情報を受信することをさらに含む、請求項７に記載の情報報告方法。
【請求項９】
第３の情報に基づいて、アクティブ期間にある前記端末のみが第１の参照信号を受信すると決定することをさらに含み、
前記第３の情報は、アクティブ期間にある前記端末のみが第１の参照信号を受信するよう指示し、前記第１の参照信号は、チャネル測定用のチャネル状態情報参照信号ＣＳＩ−ＲＳ、干渉測定用のＣＳＩ−ＲＳ、干渉測定用のＣＳＩ−ＩＭ、参照信号受信電力ＲＳＲＰ測定用のＣＳＩ−ＲＳ又は同期信号ブロックＳＳＢのうち、少なくとも１つを含む、請求項１又は７に記載の情報報告方法。
【請求項１０】
前記第３の情報は、予め定義され、又は、
前記第３の情報に基づいて、アクティブ期間にある前記端末のみが第１のイベントを行うと決定することの前に、ネットワーク機器から送信される前記第３の情報を受信することをさらに含む、請求項９に記載の情報報告方法。
【請求項１１】
前記第２の情報は、
前記端末が第１のイベントを行う際に使用したＣＳＩ参照リソースがアクティブ期間にある条件１と、
前記端末が前記ＣＳＩ参照リソースより遅れずに第１の参照信号を少なくとも一回受信する条件２とのうち、少なくとも１つの条件によって指示され、
前記第１の参照信号は、チャネル測定用のチャネル状態情報参照信号ＣＳＩ−ＲＳ、干渉測定用のＣＳＩ−ＲＳ、干渉測定用のＣＳＩ−ＩＭ、参照信号受信電力ＲＳＲＰ測定用のＣＳＩ−ＲＳ又は同期信号ブロックＳＳＢのうち、少なくとも１つを含み、前記第１の参照信号は、アクティブ期間にある、請求項７に記載の情報報告方法。
【請求項１２】
ネットワーク機器に適用する情報報告方法であって、
端末が間欠受信ＤＲＸモードにある場合、第１の情報を前記端末へ送信することを含み、
前記第１の情報は、前記第１の情報に基づいてインアクティブ期間にある前記端末がチャネル状態情報ＣＳＩ報告を行うか否かを決定するよう前記端末に指示し、前記第１の情報は、インアクティブ期間にある前記端末によるチャネル状態情報ＣＳＩ報告時の前記チャネル状態情報ＣＳＩ報告の許容、又は、インアクティブ期間にある前記端末によるチャネル状態情報ＣＳＩ報告時の物理上り共有チャネルＰＵＳＣＨを介して報告される半永続的又は非周期的なチャネル状態情報ＣＳＩ報告の禁止を指示する情報報告方法。
【請求項１３】
第２の情報を前記端末へ送信することをさらに含み、
前記第２の情報は、前記第２の情報に基づいてアクティブ期間にある前記端末のみが第１のイベントを行うと決定するよう前記端末に指示し、前記第１の情報は、アクティブ期間にある前記端末のみが、ビーム測定及び／又はＣＳＩ測定を含む前記第１のイベントを行うよう指示する、請求項１２に記載の情報報告方法。
【請求項１４】
第３の情報を前記端末へ送信することをさらに含み、
前記第３の情報は、前記第３の情報に基づいてアクティブ期間にある前記端末のみが第１の参照信号を受信すると決定するよう前記端末に指示し、前記第３の情報は、アクティブ期間にある前記端末のみが第１の参照信号を受信するよう指示し、前記第１の参照信号は、チャネル測定用のチャネル状態情報参照信号ＣＳＩ−ＲＳ、干渉測定用のＣＳＩ−ＲＳ、干渉測定用のＣＳＩ−ＩＭ、参照信号受信電力ＲＳＲＰ測定用のＣＳＩ−ＲＳ又は同期信号ブロックＳＳＢのうち、少なくとも１つを含む、請求項１２又は１３に記載の情報報告方法。
【請求項１５】
アクティブ期間にのみ、第１の参照信号を前記端末へ送信することをさらに含む、請求項１４に記載の情報報告方法。
【請求項１６】
前記第２の情報は、
前記端末が前記第１のイベントを行う際に使用したＣＳＩ参照リソースがアクティブ期間にある条件１と、
前記ネットワーク機器が前記ＣＳＩ参照リソースより遅れずに第１の参照信号を少なくとも一回送信する条件２とのうち、少なくとも１つの条件によって指示され、
前記第１の参照信号は、チャネル測定用のチャネル状態情報参照信号ＣＳＩ−ＲＳ、干渉測定用のＣＳＩ−ＲＳ、干渉測定用のＣＳＩ−ＩＭ、参照信号受信電力ＲＳＲＰ測定用のＣＳＩ−ＲＳ又は同期信号ブロックＳＳＢのうち、少なくとも１つを含み、前記第１の参照信号は、アクティブ期間にある、請求項１３に記載の情報報告方法。
【請求項１７】
端末であって、
前記端末が間欠受信ＤＲＸモードにある場合、第１の情報に基づいて、インアクティブ期間にある前記端末がチャネル状態情報ＣＳＩ報告を行うか否かを決定するための決定モジュールを含み、
前記第１の情報は、インアクティブ期間にある前記端末によるチャネル状態情報ＣＳＩ報告時の前記チャネル状態情報ＣＳＩ報告の許容、又は、インアクティブ期間にある前記端末によるチャネル状態情報ＣＳＩ報告時の物理上り共有チャネルＰＵＳＣＨを介して報告される半永続的又は非周期的なチャネル状態情報ＣＳＩ報告の禁止を指示する、端末。
【請求項１８】
ネットワーク機器であって、
端末が間欠受信ＤＲＸモードにある場合、第１の情報を端末へ送信するための送信モジュールを含み、
前記第１の情報は、前記第１の情報に基づいてインアクティブ期間にある前記端末がチャネル状態情報ＣＳＩ報告を行うか否かを決定するよう前記端末に指示し、前記第１の情報は、インアクティブ期間にある前記端末によるチャネル状態情報ＣＳＩ報告時の前記チャネル状態情報ＣＳＩ報告の許容、又は、インアクティブ期間にある前記端末によるチャネル状態情報ＣＳＩ報告時の物理上り共有チャネルＰＵＳＣＨを介して報告される半永続的又は非周期的なチャネル状態情報ＣＳＩ報告の禁止を指示する、ネットワーク機器。
【請求項１９】
プロセッサと、メモリと、前記メモリに記憶されかつ前記プロセッサに実行可能なコンピュータプログラムと、を含み、
前記コンピュータプログラムが前記プロセッサによって実行されると、請求項１〜１１のいずれか１項に記載の情報報告方法を実現する、端末。
【請求項２０】
プロセッサと、メモリと、前記メモリに記憶されかつ前記プロセッサに実行可能なコンピュータプログラムと、を含み、
前記コンピュータプログラムが前記プロセッサによって実行されると、請求項１２〜１６のいずれか１項に記載の情報報告方法を実現する、ネットワーク機器。
【請求項２１】
コンピュータプログラムを記憶したコンピュータ読み取り可能な記憶媒体であって、
前記コンピュータプログラムがプロセッサによって実行されると、請求項１〜１６のいずれか一項に記載の情報報告方法を実現する、コンピュータ読み取り可能な記憶媒体。
【発明の詳細な説明】
【技術分野】
【０００１】
本開示は、２０１８年０４月０３日付けで中国に提出された、出願番号が２０１８１０２９１３４８．９である中国特許出願を基礎とする優先権を主張し、その内容の全てが参照によって本出願に組み込まれる。
本開示は、通信技術分野に関し、特に情報報告方法、端末及びネットワーク機器に関するものである。
【背景技術】
【０００２】
現在、ユーザ機器（Ｕｓｅｒ  Ｅｑｕｉｐｍｅｎｔ、ＵＥ）が無線リソース制御（Ｒａｄｉｏ  Ｒｅｓｏｕｒｃｅ  Ｃｏｎｔｒｏｌ、ＲＲＣ）アイドル（ＲＲＣ  ＩＤＬＥ）状態にあるか、ＲＲＣ接続（ＲＲＣ  ＣＯＮＮＥＣＴＥＤ）状態にあるかにもかかわらず、ＵＥは、常に物理下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）をリッスン（ｌｉｓｔｅｎ）して、サービングセルからの情報があるか否かを確認する。しかし、実際の適用において、ほとんどの時間ではＵＥとネットワーク機器とのデータ交換がない。この際に、ＵＥが依然としてＰＤＣＣＨを継続的にリッスンすると、ＵＥの不要な電力消費をもたらす。ＵＥに節電の目的を達成させるように、間欠受信（Ｄｉｓｃｏｎｔｉｎｕｏｕｓ  Ｒｅｃｅｐｔｉｏｎ、ＤＲＸ）メカニズムが時勢に応じて生まれた。
【０００３】
間欠受信（Ｄｉｓｃｏｎｔｉｎｕｏｕｓ  Ｒｅｃｅｐｔｉｏｎ、ＤＲＸ）モードにおいて、アクティブ期間（Ａｃｔｉｖｅ  Ｔｉｍｅ）とインアクティブ期間（すなわち、アクティブ期間以外）とを含むＤＲＸ周期がＵＥに設定される。アクティブ期間内（すなわち、ＵＥがＰＤＣＣＨをリッスンする必要のあるとき）では、ＵＥは、ＰＤＣＣＨをリッスンして受信し、インアクティブ期間内では、ＵＥは、休止状態（ｄｏｒｍａｎｔ  ｓｔａｔｅ）に移行して、ＵＥの消費電力を低減するためにＰＤＣＣＨをリッスンしないようにする。
【０００４】
しかし、関連技術におけるプロトコルでは、ＤＲＸモードにあるＵＥによるＣＳＩ報告についての規定は全面的なものではなく、インアクティブ期間にある端末によるＣＳＩ報告についての規定がない。
【発明の概要】
【発明が解決しようとする課題】
【０００５】
本開示の実施例では、インアクティブ期間にある端末のＤＲＸモードにおけるＣＳＩ報告の報告ルールを明確にするための情報報告方法、端末及びネットワーク機器が提供される。
【課題を解決するための手段】
【０００６】
上記技術課題を解決するために、本開示は、下記のように実現される。
第１の態様では、
端末に適用する情報報告方法であって、
前記端末がＤＲＸモードにある場合、インアクティブ期間にある前記端末によるＣＳＩ報告時のＣＳＩ報告の許容、又は、インアクティブ期間にある前記端末によるＣＳＩ報告時の物理上り共有チャネルＰＵＳＣＨを介して報告される半永続的又は非周期的なＣＳＩ報告の禁止を指示するための第１の情報に基づいて、インアクティブ期間にある前記端末がＣＳＩ報告を行うか否かを決定することを含む情報報告方法が本開示の実施例により提供される。
【０００７】
第２の態様では、
ネットワーク機器に適用する情報報告方法であって、
前記端末がＤＲＸモードにある場合、インアクティブ期間にある前記端末によるＣＳＩ報告時のＣＳＩ報告の許容、又は、インアクティブ期間にある前記端末によるＣＳＩ報告時のＰＵＳＣＨを介して報告される半永続的又は非周期的なＣＳＩ報告の禁止を指示するための第１の情報を端末へ送信することを含み、
前記第１の情報は、前記第１の情報に基づいてインアクティブ期間にある前記端末がＣＳＩ報告を行うか否かを決定するよう前記端末に指示する、情報報告方法が本開示の実施例により提供される。
【０００８】
第３の態様では、
端末がＤＲＸモードにある場合、インアクティブ期間にある前記端末によるＣＳＩ報告時のＣＳＩ報告の許容、又は、インアクティブ期間にある前記端末によるＣＳＩ報告時のＰＵＳＣＨを介して報告される半永続的又は非周期的なＣＳＩ報告の禁止を指示するための第１の情報に基づいて、インアクティブ期間にある前記端末がＣＳＩ報告を行うか否かを決定するための決定モジュールを含む、端末が本開示の実施例により提供される。
【０００９】
第４の態様では、
端末がＤＲＸモードにある場合、インアクティブ期間にある前記端末によるＣＳＩ報告時のＣＳＩ報告の許容、又は、インアクティブ期間にある前記端末によるＣＳＩ報告時のＰＵＳＣＨを介して報告される半永続的又は非周期的なＣＳＩ報告の禁止を指示するための第１の情報を端末へ送信するための送信モジュールを含み、
前記第１の情報は、前記第１の情報に基づいてインアクティブ期間にある前記端末がＣＳＩ報告を行うか否かを決定するよう前記端末に指示する、ネットワーク機器が本開示の実施例により提供される。
【００１０】
第５の態様では、
プロセッサと、
メモリと、
前記メモリに記憶され、前記プロセッサに実行可能なコンピュータプログラムと、を含み、
前記コンピュータプログラムが前記プロセッサによって実行されると、第１の態様に記載の情報報告方法を実現する、端末が本開示の実施例により提供される。
【００１１】
第６の態様では、
プロセッサと、
メモリと、
前記メモリに記憶され、前記プロセッサに実行可能なコンピュータプログラムと、を含み、
前記コンピュータプログラムが前記プロセッサによって実行されると、第２の態様に記載の情報報告方法を実現する、ネットワーク機器が本開示の実施例により提供される。
【００１２】
第７の態様では、
コンピュータプログラムが記憶されているコンピュータ読み取り可能な記憶媒体であって、
前記コンピュータプログラムがプロセッサによって実行されると、上記情報報告方法を実現する、コンピュータ読み取り可能な記憶媒体が本開示の実施例により提供される。
【発明の効果】
【００１３】
本開示の実施例では、端末がＤＲＸモードにある場合、端末は、第１の情報により、インアクティブ期間にある端末がＣＳＩ報告を行うか否かを決定することで、インアクティブ期間にある端末のＤＲＸモードにおけるＣＳＩ報告の報告ルールを明確にし、通信効率及び性能を向上させることができる。
【００１４】
本開示の実施例又は関連技術における技術的手段をより明確に説明するために、以下は、実施例又は関連技術の説明において必要とされる図面について簡単に説明する。明らかに、以下の説明における図面は、単なる本開示に記載される一部の実施例に過ぎず、当業者は、格別の創意を要することがなく、これらの図面に基づいて他の図面をさらに取得することができる。
【図面の簡単な説明】
【００１５】
【図１】本開示の実施例に係る通信システムの可能な構成概略図である。
【図２】本開示の実施例により提供される情報報告方法の概略フローチャートの１である。
【図３】本開示の実施例により提供される情報報告方法の概略フローチャートの２である。
【図４】本開示の実施例により提供される情報報告方法の概略フローチャートの３である。
【図５】本開示の実施例により提供される情報報告方法の概略フローチャートの４である。
【図６】本開示の実施例により提供される端末の構成概略図の１である。
【図７】本開示の実施例により提供されるネットワーク機器の構成概略図の１である。
【図８】本開示の実施例により提供される端末の構成概略図の２である。
【図９】本開示の実施例により提供されるネットワーク機器の構成概略図の２である。
【発明を実施するための形態】
【００１６】
以下、本開示の実施例における図面を参照して、本開示の実施例における技術的手段について明確かつ完全に説明する。明らかに、説明される実施例は、本開示の一部の実施例であり、すべての実施例ではない。本開示における実施例に基づいて、当業者が格別の創意を要せずに取得したすべての他の実施例は、いずれも本開示の保護の範囲に含まれるものとする。
【００１７】
本開示の各実施例に関わる英語略語の注記は、下記の通りである。
間欠受信（Ｄｉｓｃｏｎｔｉｎｕｏｕｓ  Ｒｅｃｅｐｔｉｏｎ、ＤＲＸ）
ユーザ機器（ｕｓｅｒ  ｅｑｕｉｐｍｅｎｔ、ＵＥ）
物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）
物理下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）
物理上り共有チャネル（Ｐｈｙｓｉｃａｌ  Ｕｐｌｉｎｋ  Ｓｈａｒｅｄ  Ｃｈａｎｎｅｌ、ＰＵＳＣＨ）
メディアアクセス制御（Ｍｅｄｉａ  Ａｃｃｅｓｓ  Ｃｏｎｔｒｏｌ、ＭＡＣ）
メディアアクセス制御要素（ＭＡＣ  Ｃｏｎｔｒｏｌ  Ｅｌｅｍｅｎｔ、ＭＡＣ  ＣＥ）
参照信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）
無線リソース制御（Ｒａｄｉｏ  Ｒｅｓｏｕｒｃｅ  Ｃｏｎｔｒｏｌ、ＲＲＣ）
チャネル状態情報（Ｃｈａｎｎｅｌ  Ｓｔａｔｅ  Ｉｎｆｏｒｍａｔｉｏｎ、ＣＳＩ）
チャネル状態情報参照信号（ＣＳＩ  ｒｅｆｅｒｅｎｃｅ  ｓｉｇｎａｌｓ、ＣＳＩ−ＲＳ）
チャネル状態情報参照信号リソースインデックス（ＣＳＩ−ＲＳ  Ｒｅｓｏｕｒｃｅ  Ｉｎｄｅｘ、ＣＲＩ）
同期信号ブロック（Ｓｙｎｃｈｒｏｎｉｓａｔｉｏｎ  ｓｉｇｎａｌ  ｂｌｏｃｋ、ＳＳＢ）（ＳＳＢは、ＳＳ  ｂｌｏｃｋと称されもよい）
同期信号ブロックリソースインデックス（ＳＳＢ  Ｒｅｓｏｕｒｃｅ  Ｉｎｄｅｘ、ＳＳＢＲＩ）／（ＳＳＢ−Ｉｎｄｅｘ）
プリコーディングマトリックスインジケータ（Ｐｒｅｃｏｄｉｎｇ  Ｍａｔｒｉｘ  Ｉｎｄｉｃａｔｏｒ、ＰＭＩ）
チャネル品質インジケータ（Ｃｈａｎｎｅｌ  Ｑｕａｌｉｔｙ  Ｉｎｄｉｃａｔｏｒ、ＣＱＩ）
ランクインジケータ（Ｒａｎｋ  Ｉｎｄｉｃａｔｏｒ、ＲＩ）
下り制御情報（Ｄｏｗｎｌｉｎｋ  Ｃｏｎｔｒｏｌ  Ｉｎｄｉｃａｔｏｒ、ＤＣＩ）
マシン間通信（Ｍａｃｈｉｎｅ  ｔｏ  Ｍａｃｈｉｎｅ、Ｍ２Ｍ）
拡張モバイルブロードバンド（ｅｎｈａｎｃｅ  Ｍｏｂｉｌｅ  Ｂｒｏａｄｂａｎｄ、ｅＭＢＢ）
超高信頼低遅延通信（ｕｌｔｒａ  Ｒｅｌｉａｂｌｅ  ＆  Ｒｏｗ  Ｒａｔｅｎｃｙ  Ｃｏｍｍｕｎｉｃａｔｉｏｎ、ｕＲＬＬＣ）
大規模マシンタイプ通信（ｍａｓｓｉｖｅ  Ｍａｃｈｉｎｅ  Ｔｙｐｅ  Ｃｏｍｍｕｎｉｃａｔｉｏｎ、ｍＭＴＣ）
送受信ポイント（Ｔｒａｎｓｍｉｓｓｉｏｎ  ａｎｄ  Ｒｅｃｅｐｔｉｏｎ  Ｐｏｉｎｔ、ＴＲＰ）
グローバル移動通信システム（Ｇｌｏｂａｌ  Ｓｙｓｔｅｍ  ｆｏｒ  Ｍｏｂｉｌｅ  Ｃｏｍｍｕｎｉｃａｔｉｏｎ、ＧＳＭ）
符号分割多元接続（Ｃｏｄｅ  Ｄｉｖｉｓｉｏｎ  Ｍｕｌｔｉｐｌｅ  Ａｃｃｅｓｓ、ＣＤＭＡ）
ベース送受信機基地局（Ｂａｓｅ  Ｔｒａｎｓｃｅｉｖｅｒ  Ｓｔａｔｉｏｎ、ＢＴＳ）
広帯域符号分割多元接続（Ｗｉｄｅｂａｎｄ  Ｃｏｄｅ  Ｄｉｖｉｓｉｏｎ  Ｍｕｌｔｉｐｌｅ  ａｃｃｅｓｓ、ＷＣＤＭＡ）
クラウド無線アクセスネットワーク（Ｃｌｏｕｄ  Ｒａｄｉｏ  Ａｃｃｅｓｓ  Ｎｅｔｗｏｒｋ、ＣＲＡＮ）
無線アクセスネットワーク（Ｒａｄｉｏ  Ａｃｃｅｓｓ  Ｎｅｔｗｏｒｋ、ＲＡＮ）
個人通信サービス（Ｐｅｒｓｏｎａｌ  Ｃｏｍｍｕｎｉｃａｔｉｏｎ  Ｓｅｒｖｉｃｅ、ＰＣＳ）
セッション確立プロトコル（Ｓｅｓｓｉｏｎ  Ｉｎｉｔｉａｔｉｏｎ  Ｐｒｏｔｏｃｏｌ、ＳＩＰ）
ワイヤレスローカルループ（Ｗｉｒｅｌｅｓｓ  Ｌｏｃａｌ  Ｌｏｏｐ、ＷＬＬ）
パーソナルデジタルアシスタント（Ｐｅｒｓｏｎａｌ  Ｄｉｇｉｔａｌ  Ａｓｓｉｓｔａｎｔ、ＰＤＡ）
グラフィックスプロセッシングユニット（Ｇｒａｐｈｉｃｓ  Ｐｒｏｃｅｓｓｉｎｇ  Ｕｎｉｔ、ＧＰＵ）
液晶ディスプレイ（Ｌｉｑｕｉｄ  Ｃｒｙｓｔａｌ  Ｄｉｓｐｌａｙ、ＬＣＤ）
有機発光ダイオード（Ｏｒｇａｎｉｃ  Ｌｉｇｈｔ−Ｅｍｉｔｔｉｎｇ  Ｄｉｏｄｅ、ＯＬＥＤ）
リードオンリーメモリ（Ｒｅａｄ−Ｏｎｌｙ  Ｍｅｍｏｒｙ、ＲＯＭ）
ランダムアクセスメモリ（Ｒａｎｄｏｍ  Ａｃｃｅｓｓ  Ｍｅｍｏｒｙ、ＲＡＭ）
【００１８】
以下、理解しやすくするために、本開示の実施例に係る一部の用語を解釈する。
１、ＣＳＩ報告（ＣＳＩ  ｒｅｐｏｒｔｉｎｇ）
５Ｇ  ＮＲシステムでは、ＣＳＩ報告は、主に上位レイヤ（ＲＲＣ）のＣＳＩ報告設定メッセージによって設定される。ここで、当該ＣＳＩ報告設定メッセージには、当該ＣＳＩ報告に対応するＤＬ  ＢＷＰ情報、及び当該ＣＳＩ報告の周期特性が含まれる。一例として、ＣＳＩ報告の周期特性は、主に周期的（ｐｅｒｉｏｄｉｃ、Ｐ）、半永続的（ｓｅｍｉ−ｐｅｒｓｉｓｔｅｎｔ、ＳＰ）、非周期的（ａｐｅｒｉｏｄｉｃ、ＡＰ）という３つの種類の周期特性を含む。一例として、端末は、ＣＳＩ報告を取得するために、ＣＳＩ−ＲＳに基づいてＣＳＩ測定を行う。一般的には、ＣＳＩ報告には、ＣＲＩ、ＲＩ、ＰＭＩ、ＣＱＩなどの情報が含まれている。
【００１９】
上記の３つの種類のＣＳＩ報告の周期特性に基づいて、可能なＣＳＩ−ＲＳ設定に基づく現在のＣＳＩ報告の一部のトリガリングｔｒｉｇｇｅｒｉｎｇ／アクティベーションａｃｔｉｖａｔｉｏｎ方式は、下記の表１の通りである。
【００２０】
【表１】
2021517434.tif 000003
【００２１】
２、ＣＳＩ参照リソース
ＣＳＩは、ＣＳＩ参照リソース（ＣＳＩ  ｒｅｆｅｒｅｎｃｅ  ｒｅｓｏｕｒｃｅ）に基づいて、ＣＱＩ、ＲＩ、ＰＭＩなどを含むＣＳＩを導出する。ＣＳＩ参照リソースは、ＣＳＩ報告が運ぶＣＳＩの導出に使用される時間・周波数リソース、及び、例えば各種のオーバーヘッドがどのように算出されるかなどのＣＳＩ導出のいくつかの仮説が規定されている。端末は、予め決められたルールに基づいてＣＳＩ報告スロットでＣＳＩ参照リソースの位置するスロットを決定する。
【００２２】
３、ＤＲＸ
ＤＲＸメカニズムは、節電を実現することにより、電池の利用時間を向上させることができる。その基本的なメカニズムは、ＲＲＣ接続状態にあるＵＥに、アクティブ期間（Ａｃｔｉｖｅ  Ｔｉｍｅ）とインアクティブ期間（すなわちアクティブ期間外）とを含むＤＲＸ周期を１つ設定する。一例として、アクティブ期間内（ＵＥがＰＤＣＣＨをリッスンする必要があるとき）では、ＵＥは、ＰＤＣＣＨをリッスンして受信し、インアクティブ期間内では、ＵＥは、休止状態に移行して、ＵＥの消費電力を低減するためにＰＤＣＣＨをリッスンしないようにする。しかし、他の物理チャネルからのデータ又は信号（例えば、ＰＤＳＣＨ、ＡＣＫ／ＮＡＣＫ、ＲＳなど）を受信することができる。例えば、下りＳＰＳスケジューリングにおいて、インアクティブ期間にあるＵＥは、周期的に設定される下りサブフレームで送信されるＰＤＳＣＨデータを受信することができる。
ここで、ＤＲＸ周期内のアクティブ期間は、ｄｒｘ−ｏｎＤｕｒａｔｉｏｎ  Ｔｉｍｅｒ（ｄｒｘ−継続期タイマー）、ｄｒｘ−Ｉｎａｃｔｉｖｉｔｙ  Ｔｉｍｅｒ（ｄｒｘ−静止期タイマー）、ｄｒｘ−Ｒｅｔｒａｎｓｍｉｓｓｉｏｎ  Ｔｉｍｅｒ  ＤＬ（ｄｒｘ−下り再送タイマー）、ｄｒｘ−Ｒｅｔｒａｎｓｍｉｓｓｉｏｎ  Ｔｉｍｅｒ  ＵＬ（ｄｒｘ  −上り再送タイマー）、ｒａ−Ｃｏｎｔｅｎｔｉｏｎ  Ｒｅｓｏｌｕｔｉｏｎ  Ｔｉｍｅｒ（ｄｒｘ  −衝突解決タイマー）というタイマー実行時間を含む。
【００２３】
例１：ＵＥが「Ｏｎ  Ｄｕｒａｔｉｏｎ」内（すなわちタイマーｄｒｘ−ｏｎＤｕｒａｔｉｏｎＴｉｍｅｒ実行期間）でスケジューリングメッセージ（当該スケジューリングメッセージは、最初に伝送されるＰＤＣＣＨを指示する）を受信する場合、ＵＥは、タイマー「ｄｒｘ−ＩｎａｃｔｉｖｉｔｙＴｉｍｅｒ」を起動して当該タイマー実行期間の下りサブフレームのそれぞれにおいてＰＤＣＣＨをリッスンする。
【００２４】
例２：ＵＥが「ｄｒｘ−ＩｎａｃｔｉｖｉｔｙＴｉｍｅｒ」実行期間でスケジューリング情報（当該スケジューリングメッセージは、最初に伝送されるＰＤＣＣＨを指示する）を受信する場合、ＵＥは、当該タイマーを再起動する。
【００２５】
例３：ＵＥは、「ｄｒｘ−ＩｎａｃｔｉｖｉｔｙＴｉｍｅｒ」が満了するか、又はＤＲＸ  Ｃｏｍｍａｎｄ  ＭＡＣ  ＣＥを受信する場合、ＵＥにｓｈｏｒｔ  ＤＲＸ  ｃｙｃｌｅが設定されていない場合、ｌｏｎｇ  ＤＲＸ  ｃｙｃｌｅをそのまま使用する。ＵＥにｓｈｏｒｔ  ＤＲＸ  ｃｙｃｌｅが設定された場合、ＵＥは、ｓｈｏｒｔ  ＤＲＸ  ｃｙｃｌｅを使用して「ｄｒｘ−ＳｈｏｒｔＣｙｃｌｅ  Ｔｉｍｅｒ」を起動（又は再起動）し、「ｄｒｘ−ＳｈｏｒｔＣｙｃｌｅ  Ｔｉｍｅｒ」が満了する場合、ＵＥは、ｌｏｎｇ  ＤＲＸ  ｃｙｃｌｅを使用する。
【００２６】
例４：下り／上りＨＡＲＱ再送を行う場合、ＵＥは、当該ＨＡＲＱプロセス（ＨＡＲＱ  ｐｒｏｃｅｓｓ）のためにタイマーｄｒｘ−ＲｅｔｒａｎｓｍｉｓｓｉｏｎＴｉｍｅｒＤＬ／ｄｒｘ−ＲｅｔｒａｎｓｍｉｓｓｉｏｎＴｉｍｅｒＵＬを起動する。当該タイマーが実行される場合、ＵＥは、ＨＡＲＱ再送用のＰＤＣＣＨをリッスンする。
【００２７】
４、ＤＲＸモードにおけるＵＥによるＣＳＩ報告の関連技術のルール
具体的には、関連技術におけるプロトコルは、アクティブ期間にあるＵＥによるＣＳＩ報告のプロセスのみについて規定している。
【００２８】
例１：ＰＵＣＣＨによるＣＳＩ報告（Ｐ−ＣＳＩ報告、ＰＵＣＣＨによるＳＰ−ＣＳＩ報告を含む）について、基地局は、上位レイヤパラメータ「ｃｑｉ−Ｍａｓｋ」によりＰＵＣＣＨによるＣＳＩ報告が許容されるか否かを設定することができる。一般的には、「ｃｑｉ−Ｍａｓｋ」が設定され、かつ「ｄｒｘ−ｏｎＤｕｒａｔｉｏｎＴｉｍｅｒ」がすでに停止している場合、ＰＵＣＣＨによるＣＳＩ報告を行わず、「ｃｑｉ−Ｍａｓｋ」が設定されず、かつＭＡＣエンティティがアクティブ化されていない場合、ＰＵＣＣＨによるＣＳＩ報告を行わない。
【００２９】
例２：ＡＰ−ＣＳＩ報告は、ＤＣＩスケジューリングによりトリガーされるので、ＡＰ−ＣＳＩ報告は、タイマー「ｄｒｘ−ＩｎａｃｔｉｖｉｔｙＴｉｍｅｒ」実行期間で、アクティブ期間にスケジューリングメッセージがあるというケースに従ってＣＳＩ報告を行う。
【００３０】
例３：ＰＵＳＣＨによるＳＰ−ＣＳＩ報告は、ＤＣＩによりアクティブ化され、現在上り半永続的スケジューリングに従ってＣＳＩ報告を行うことができる。
【００３１】
しかし、インアクティブ期間にあるＵＥは、周期的に設定される下りサブフレームで送信されるＰＤＳＣＨデータを受信することができるため、ＵＥがアクティブ期間でＰＤＣＣＨをモニタリングすることで取得したＤＣＩスケジューリング情報に、ＰＤＳＣＨからＭＡＣ  ＣＥを取得するよう指示する情報が含まれる場合、ＵＥは、ＰＤＳＣＨからＭＡＣ  ＣＥ情報を取得する。この場合、ＭＡＣ  ＣＥをアクティブ化すれば、ＰＵＣＣＨによりＳＰ−ＣＳＩ報告を伝送することができる。すなわち、インアクティブ期間又は関連タイマー（「ｄｒｘ−ｏｎＤｕｒａｔｉｏｎＴｉｍｅｒ」又はＨＡＲＱタイマーなど）がすでに停止した後も、ＳＰ−ＣＳＩ報告を送信し、関連のタイマーを起動することができる。
【００３２】
５、その他の用語
本明細書では、用語「及び／又は」は、単なる関連対象を説明するための関連関係であり、３つの種類の関係が存在しうることを示し、例えば、Ａ及び／又はＢは、Ａが単独で存在するケース、Ａ及びＢが同時に存在するケース、Ｂが単独で存在するケース、この３つのケースを示すことができる。なお、本明細書では、文字「／」は、一般的には、前後の関連対象が「又は」の関係であることを示す。数式では、文字「／」は、前後の関連対象が「除算」の関係であることを示す。説明がない場合、本明細書における「複数」とは、２つ又は２つ以上である。
【００３３】
本開示の実施例に係る技術的手段を明確に説明するために、本開示の実施例では、「第１の」、「第２の」などの文言を用いて、機能又は作用がほぼ同じである同一項目又は類似項目を区別する。「第１の」、「第２の」などの文言は数及び実行順序について限定しないことは、当業者に理解され得る。
【００３４】
なお、本開示の実施例では、「例示的には」又は「例えば」などの語は、例、例証又は説明を示すためのものである。本開示の実施例では、「例示的には」又は「例えば」と説明されるいかなる実施例又は設計案は、他の実施例又は設計案より好適であるか又は優位性があると解釈されるべきではない。正確的には、「例示的には」又は「例えば」などの語の使用は、具体案で関連概念を呈することを目的とする。
【００３５】
以下、図面を参照して本願により提供される技術的手段について説明する。
【００３６】
本開示により提供される技術的手段は、例えば、５Ｇ通信システム、Ｆｕｔｕｒｅ  Ｅｖｏｌｕｔｉｏｎシステム又は多種の通信を融合したシステムなど、各種の通信システムに適用することができる。例えば、Ｍ２Ｍ、Ｄ２Ｍ、マクロ・マイクロ通信、ｅＭＢＢ、ｕＲＬＬＣ及びｍＭＴＣなどの多種の適用シナリオを含むことができる。これらのシナリオは、端末間の通信、又はネットワーク機器間の通信、又はネットワーク機器と端末との間の通信などのシナリオを含むが、これらに限定されない。本開示の実施例は、５Ｇ通信システムにおけるネットワーク機器と端末との間の通信、又は端末間の通信、又はネットワーク機器間の通信、あるいは後継のＥｖｏｌｕｔｉｏｎ  Ｖｅｒｓｉｏｎの通信システムの関連機器間の通信に適用することができる。
【００３７】
図１は、本開示の実施例に係る通信システムの可能な構成概略図を示している。図１に示すように、当該通信システムは、少なくとも１つのネットワーク機器１００（図１では、１つしか示されていない）及び各ネットワーク機器１００に接続される１つ以上の端末２００を含む。
ここで、ネットワーク機器１００は、基地局、コアネットワーク機器、ＴＲＰ、中継局又はアクセスポイントなどであってもよい。ネットワーク機器１００は、ＧＳＭ又はＣＤＭＡネットワークにおけるＢＴＳであってもよく、ＷＣＤＭＡにおけるＮＢ（ＮｏｄｅＢ）であってもよく、ＬＴＥにおけるｅＮＢ又はｅＮｏｄｅＢ（ｅｖｏｌｕｔｉｏｎａｌ  ＮｏｄｅＢ）であってもよい。ネットワーク機器１００は、ＣＲＡＮシナリオにおける無線コントローラであってもよい。ネットワーク機器１００は、５Ｇ通信システムにおけるネットワーク機器又はＦｕｔｕｒｅ  Ｅｖｏｌｕｔｉｏｎネットワークにおけるネットワーク機器であってもよい。
【００３８】
端末２００は、無線端末であってもよく、有線端末であってもよく、当該無線端末は、音声及び／又はその他のトラフィックデータの接続性をユーザに提供する機器、無線通信機能を有するハンドヘルド機器、算出機器又は無線モデムに接続される他の処理機器、車載機器、ウェアラブル機器、未来の５Ｇネットワークにおける端末又はＦｕｔｕｒｅ  ＥｖｏｌｕｔｉｏｎのＰＬＭＮネットワークにおける端末などであってもよい。無線端末は、ＲＡＮを介して１つ以上のコアネットワークと通信することができる。無線端末は、携帯電話（又は「セルラ」電話という）及びモバイル端末を有するコンピュータのようなモバイル端末であってもよく、例えば、無線アクセスネットワークと音声及び／又はデータを交換する携帯式、コンパクト式、ハンドヘルド式、コンピュータ内蔵の、又は車載のモバイル装置、及びＰＣＳ電話、コードレス電話、ＳＩＰ電話機、ＷＬＬステーション、ＰＤＡなどの機器であってもよく、無線端末は、モバイル機器、ＵＥ、ＵＥ端末、アクセス端末、無線通信機器、端末ユニット、端末ステーション、モバイルステーション（Ｍｏｂｉｌｅ  Ｓｔａｔｉｏｎ）、移動局（Ｍｏｂｉｌｅ）、リモートステーション（Ｒｅｍｏｔｅ  Ｓｔａｔｉｏｎ）、遠隔局、リモート端末（Ｒｅｍｏｔｅ  Ｔｅｒｍｉｎａｌ）、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、ユーザエージェント（Ｕｓｅｒ  Ａｇｅｎｔ）、端末装置などであってもよい。実例として、本開示の実施例では、端末がハンドセットであることを例として図１に示されている。
【００３９】
実施例１
図２は、本開示の実施例により提供される情報報告方法の概略フローチャートを示している。図２に示すように、当該情報報告方法は、以下のステップを含んでもよい。
Ｓ２０１：端末がＤＲＸモードにある場合、端末は、第１の情報に基づいて、インアクティブ期間にある端末がＣＳＩ報告を行うか否かを決定する。
【００４０】
あるいは、本開示の実施例では、第１の情報は、予め定義されてもよい。すなわち、プロトコルによって規定されてもよい。
【００４１】
あるいは、本開示の実施例では、第１の情報は、ネットワーク機器によって端末に設定される。
【００４２】
一例として、図３に示すように、Ｓ２０１の前に、本開示の実施例は、下記のステップＡをさらに含む。
ステップＡ：端末は、ネットワーク機器から送信される第１の情報を受信する。
それに応じて、相対側ネットワーク機器は、第１の情報を送信する。
さらに、あるいは、本開示の実施例における第１の情報は、ＲＲＣシグナリング又はＭＡＣ  ＣＥ又はＤＣＩによって運ばれる。
【００４３】
本開示の実施例におけるネットワーク機器は、例えば、基地局のような、図１に示す通信システムにおけるネットワーク機器であってもよい。本開示の実施例における端末は、図１に示す通信システムにおける端末機器であってもよい。
【００４４】
本開示の実施例では、第１の情報は、インアクティブ期間にある端末によるＣＳＩ報告時のＣＳＩ報告の許容、又は、インアクティブ期間にある端末によるＣＳＩ報告時のＣＳＩ報告の禁止を指示する。
【００４５】
本開示の実施例では、第１の情報が、インアクティブ期間にある端末によるＣＳＩ報告時のＣＳＩ報告の許容を指示する場合、ＤＲＸモードにおいて、端末は、アクティブ期間にあるか、インアクティブ期間にあるかにも関わらず、ＣＳＩ報告時にＣＳＩ報告を行う。
【００４６】
本開示の実施例では、第１の情報が、インアクティブ期間にある端末によるＣＳＩ報告時のＣＳＩ報告の禁止を指示する場合、ＤＲＸモードにおいて、端末がインアクティブ期間にある限り、当該端末は、ＣＳＩ報告時にＣＳＩ報告を行わない。一例では、ＤＲＸモードにおける端末は、さらなる節電が必要となる場合、インアクティブ期間にある端末によるＣＳＩ報告時のＣＳＩ報告の禁止を端末に指示するよう、第１の情報を自発的に設定する。
【００４７】
あるいは、本開示の実施例では、第１の情報は、インアクティブ期間にある端末がＣＳＩ報告時に、ＰＵＣＣＨを介して報告される周期的なＣＳＩ報告、ＰＵＣＣＨを介して報告される半永続的なＣＳＩ報告、ＰＵＳＣＨを介して報告される半永続的なＣＳＩ報告、ＰＵＳＣＨを介して報告される非周期的なＣＳＩ報告のうち、少なくとも１つの報告を許容するよう指示する。
【００４８】
あるいは、本開示の実施例では、第１の情報は、インアクティブ期間にある端末がＣＳＩ報告時に、ＰＵＣＣＨを介して報告される周期的なＣＳＩ報告、ＰＵＣＣＨを介して報告される半永続的なＣＳＩ報告、ＰＵＳＣＨを介して報告される半永続的なＣＳＩ報告、ＰＵＳＣＨを介して報告される非周期的なＣＳＩ報告のうち、少なくとも１つの報告を禁止するよう指示する。
【００４９】
あるいは、可能な一実現方式では、ＤＲＸモードにおいて、インアクティブ期間にある端末は、今回のＣＳＩ報告と前回のＣＳＩ報告とを比較することにより、今回のＣＳＩ報告を行う必要があるか否かをさらに判断し、さらなる節電を実現することができる。この場合、端末が今回のＣＳＩ報告を行うか否か、又は、端末がアクティブ期間にあるか否かにもかかわらず、ネットワーク機器は、時間通りに検出を行う必要がある。
【００５０】
一例として、本開示の実施例では、Ｓ２０１の前にステップＢ１をさらに含む。
ステップＢ１：端末は、第１のＣＳＩ報告及び第２のＣＳＩ報告を取得する。
ここで、第２のＣＳＩ報告は、第１のＣＳＩ報告の前回のＣＳＩ報告である。
【００５１】
ステップＢ１を基に、Ｓ２０１は、具体的には下記のステップＢ２を含む。
ステップＢ２：第１の情報が、インアクティブ期間にある前記端末によるＣＳＩ報告時のＣＳＩ報告の許容を指示する場合、端末は、第１のＣＳＩ報告及び第２のＣＳＩ報告に基づいて、インアクティブ期間にある端末が第１のＣＳＩ報告の一部又は全部を報告するか否かを決定する。
【００５２】
本開示の実施例では、第１のＣＳＩ報告が第２のＣＳＩ報告と同じである場合、端末は、インアクティブ期間にある端末が当該第１のＣＳＩ報告を行わないと決定する。第１のＣＳＩ報告が第２のＣＳＩ報告と異なる場合、端末は、インアクティブ期間にある端末が当該第１のＣＳＩ報告を行うか、又は当該第１のＣＳＩ報告における第２のＣＳＩ報告と異なる内容を報告すると決定する。
【００５３】
以下、ＣＳＩ報告の内容がビーム情報（例えば、Ｌ１−ＲＳＲＰ報告）であるシナリオについて、上記方式（すなわち、ステップＢ１とステップＢ２との組み合わせによる方式）をさらに拡張する。
さらに、あるいは、第１のＣＳＩ報告及び第２のＣＳＩ報告の内容がいずれもビーム情報である場合、第１のＣＳＩ報告は、少なくとも１つの第１のリソースインデックス、又は少なくとも１つの第１のリソースインデックス及び各第１のリソースインデックスに対応する第１のＲＳＲＰを含み、１つの第１のリソースインデックスが１つの第１のＲＳＲＰに対応する。第２のＣＳＩ報告は、少なくとも１つの第２のリソースインデックス、又は少なくとも１つの第２のリソースインデックス及び各第２のリソースインデックスに対応する第２のＲＳＲＰを少なくとも含み、１つの第２のリソースインデックスが１つの第２のＲＳＲＰに対応する。ここで、第１のリソースインデックス及び第２のリソースインデックスは、ＣＲＩ又は（ＳＳＢＲＩ又はＳＳＢ−Ｉｎｄｅｘ）を含む。
【００５４】
本開示の実施例では、ステップＢ２は、具体的には、下記のステップＢ２１又はＢ２２を含む。
ステップＢ２１：少なくとも１つの第１のリソースインデックスが少なくとも１つの第２のリソースインデックスと異なる場合、端末は、インアクティブ期間にある端末が第１のＣＳＩ報告の一部又は全部を報告すると決定する。
【００５５】
本開示の実施例では、第１のＣＳＩ報告における第１のリソースインデックスが第２のＣＳＩ報告における第２のリソースインデックスと異なる場合、インアクティブ期間にある端末が少なくとも当該第１のＣＳＩ報告における第１のリソースインデックスを行う必要があることを表明する。すなわち、インアクティブ期間にある端末が、当該第１のＣＳＩ報告、又は当該第１のＣＳＩ報告における第１のリソースインデックス、又は当該第１のＣＳＩ報告における第１のリソースインデックス及び各第１のリソースインデックスに対応する第１のＲＳＲＰを選択的に報告すると端末が決定する。
【００５６】
ステップＢ２２：少なくとも１つの第１のリソースインデックスが少なくとも１つの第２のリソースインデックスと同じであり、かついずれかの第１のリソースインデックスに対応する第１のＲＳＲＰと、当該いずれかの第１のリソースインデックスと同じである第２のリソースインデックスに対応する第２のＲＳＲＰとの間の差分値が、所定閾値以上である場合、端末は、インアクティブ期間にある端末が第１のＣＳＩ報告の一部又は全部を報告すると決定する。
【００５７】
本開示の実施例では、第１のＣＳＩ報告における第１のリソースインデックスが第２のＣＳＩ報告における第２のリソースインデックスと同じである場合、いずれかのリソースインデックスについては、それぞれ第１のＣＳＩ報告及び第２のＣＳＩ報告において、１つの第１のＲＳＲＰ及び第２のＲＳＲＰに対応する。いずれかのリソースインデックスに対応する第１のＲＳＲＰと第２のＲＳＲＰとが異なる、又はいずれかのリソースインデックスに対応する第１のＲＳＲＰと第２のＲＳＲＰとの間の差分値が、一定の誤差閾値（すなわち、所定閾値）より大きい場合、インアクティブ期間の端末は、少なくとも当該いずれかのリソースインデックスに対応する第１のＲＳＲＰ、又は当該いずれかのリソースインデックスに対応する第１のＲＳＲＰと第２のＲＳＲＰとの間の差分値を報告する必要があることを表明する。すなわち、端末は、インアクティブ期間にある端末が当該第１のＣＳＩ報告、又は上記いずれかのリソースインデックスに対応する第１のＲＳＲＰ、又は当該いずれかのリソースインデックスに対応する第１のＲＳＲＰと第２のＲＳＲＰとの間の差分値、又は当該いずれかのリソースインデックス及び当該いずれかのリソースインデックスに対応する第１のＲＳＲＰ、又は当該いずれかのリソースインデックス及び当該いずれかのリソースインデックスに対応する第１のＲＳＲＰと第２のＲＳＲＰとの間の差分値を報告すると決定する。
【００５８】
さらに、あるいは、第１のＣＳＩ報告及び第２のＣＳＩ報告は、いずれも１つのビームに対応するＣＳＩ報告であり、すなわち、第１のＣＳＩ報告及び第２のＣＳＩ報告は、いずれも端末が１つのビームに対してビーム測定を行った後に得られるものである。これに踏まえて、本開示の実施例では、ステップＢ２は、具体的には、下記のステップＢ２３を含む。
ステップＢ２３：第１のＣＳＩ報告における第１のＲＳＲＰと第２のＣＳＩ報告における第２のＲＳＲＰとの間の差分値が所定閾値以上である場合、端末は、インアクティブ期間にある端末が第１のＲＳＲＰを報告すると決定する。
【００５９】
本開示の実施例により提供される情報報告方法は、端末がＤＲＸモードにある場合、端末が第１の情報によりインアクティブ期間にある端末がＣＳＩ報告を行うか否かを決定することで、インアクティブ期間にある端末のＤＲＸモードにおけるＣＳＩ報告の報告ルールを明確にし、通信効率及び性能を向上させることができる。
【００６０】
実施例２
図４は、本開示の実施例により提供される情報報告方法の概略フローチャートを示している。本実施例により提供される方式は、ＤＲＸモードにおける端末がさらなる節電を達成できるように、端末がアクティブ期間にのみ、ビーム測定及び／又はＣＳＩ測定を行うことができる。一例として、当該情報報告方法は、Ｓ３０１及び／又はＳ３０２を含み、図４は、Ｓ３０１及びＳ３０２を例として示される。
【００６１】
Ｓ３０１：端末は、第２の情報に基づいて、アクティブ期間にある端末のみが第１のイベントを行うと決定する。
【００６２】
本開示の実施例では、第２の情報は、アクティブ期間にある端末のみが第１のイベントを行うことを指示する。第１のイベントは、ビーム測定及び／又はＣＳＩ測定を含む。
【００６３】
あるいは、本開示の実施例では、端末が節電モードにある場合、端末は、第２の情報に基づいて、アクティブ期間にある端末のみが第１のイベントを行うと決定する。
【００６４】
一例として、端末は、いつ節電モードに入るかを自発的に決定してもよく（例えば、端末の電力残量が低い場合、端末は、自動的に節電モードに入る）、ネットワーク機器の指示に基づいて節電モードに入ってもよく（例えば、基地局は、節電モードに入るよう端末に指示するために、シグナリングにより指示情報を端末へ送信する）、本開示は、これについて限定しない。
【００６５】
あるいは、本開示の実施例では、第２の情報は、予め定義されてもよい。すなわち、プロトコルによって規定されてもよい。
【００６６】
あるいは、本開示の実施例では、第２の情報は、ネットワーク機器によって端末に設定される。
【００６７】
一例として、図５に示すように、Ｓ３０１の前に、本開示の実施例は、下記のステップＣをさらに含む。
ステップＣ：端末は、ネットワーク機器から送信される第２の情報を受信する。
それに応じて、相対側ネットワーク機器は、第２の情報を送信する。
あるいは、本開示の実施例における第２の情報は、ＲＲＣシグナリング又はＭＡＣ  ＣＥ又はＤＣＩによって運ばれる。
【００６８】
あるいは、本開示の実施例では、第２の情報は、以下の少なくとも１つの条件によって指示される。
条件１：端末が第１のイベントを行う際に使用したＣＳＩ参照リソースがアクティブ期間にある。つまり、当該ＣＳＩ参照リソースの有効下りスロット（ｖａｌｉｄ  ｄｏｗｎｌｉｎｋ  ｓｌｏｔ）がアクティブ期間にある。
条件２：端末が当該ＣＳＩ参照リソースより遅れずに第１の参照信号を少なくとも一回受信する、それに応じて、ネットワーク機器が当該ＣＳＩ参照リソースより遅れずに第１の参照信号を少なくとも一回送信する。
ここで、第１の参照信号は、チャネル測定用のＣＳＩ−ＲＳ、干渉測定用のＣＳＩ−ＲＳ、干渉測定用のＣＳＩ−ＩＭ、ＲＳＲＰ測定用のＣＳＩ−ＲＳ又はＳＳＢのうち、少なくとも１つを含む。第１の参照信号は、アクティブ期間にあり、条件２におけるＣＳＩ参照リソースは、アクティブ期間にあってもよく、インアクティブ期間にあってもよく、ここでは限定しない。
【００６９】
なお、条件１と条件２とが同時に満たされる場合、ＣＳＩ参照リソースと第１の参照信号とが同じアクティブ期間にあってもよく、異なるアクティブ期間にあってもよい。また、第１の参照信号はＣＳＩ参照リソースより遅くない。
【００７０】
Ｓ３０２：端末は、第３の情報に基づいて、アクティブ期間にある端末のみが第１の参照信号を受信すると決定する。
それに応じて、相対側ネットワーク機器は、第１の参照信号を送信する。
本開示の実施例では、第３の情報は、アクティブ期間にある端末のみが第１の参照信号を受信することを指示する。
【００７１】
あるいは、本開示の実施例では、ネットワーク機器は、アクティブ期間にのみ、第１の参照信号を端末へ送信する。一例として、本開示の実施例は、第１の参照信号の送信時間を制限することにより、端末がアクティブ期間にのみ、第１の参照信号を受信するようにし、さらなる節電という目的を達成する。
【００７２】
あるいは、本開示の実施例では、端末が節電モードにある場合、当該端末は、第３の情報に基づいて、アクティブ期間にある端末のみが第１のイベントを行うと決定する。
【００７３】
一例として、端末は、いつ節電モードに入るかを自発的に決定してもよく（例えば、端末の電力残量が低い場合、端末は、自動的に節電モードに入る）、ネットワーク機器の指示に基づいて節電モードに入ってもよく（例えば、基地局は、節電モードに入るよう端末に指示するために、シグナリングにより指示情報を端末へ送信する）、本開示は、これについて限定しない。
【００７４】
あるいは、本開示の実施例では、第３の情報は、予め定義されてもよく、すなわち、プロトコルによって規定されてもよい。
【００７５】
あるいは、本開示の実施例では、第３の情報は、ネットワーク機器によって端末に設定される。
【００７６】
一例として、図５に示すように、Ｓ３０２の前に、本開示の実施例は、下記のステップＤをさらに含む。
ステップＤ：端末は、ネットワーク機器から送信される第３の情報を受信する。
それに応じて、相対側ネットワーク機器は、第３の情報を送信する。
さらに、あるいは、本開示の実施例における第３の情報は、ＲＲＣシグナリング又はＭＡＣ  ＣＥ又はＤＣＩによって運ばれる。
【００７７】
なお、本開示の実施例におけるＳ３０１及びＳ３０２の順序は不問である。Ｓ３０２は、Ｓ３０１の前に実現されてもよく、Ｓ３０１の後に実現されてもよく、又は、Ｓ３０１とＳ３０２が同時に実現されてもよく、ここでは限定しない。本開示の実施例におけるＳ３０１及びＳ３０２の番号は、単にステップを区別するものである。
【００７８】
なお、実施例２により提供される方式は、単独の方式とされてもよく、実施例１により提供される方式と組み合わせてもよく、本開示では限定しない。
【００７９】
本開示の実施例により提供される情報報告方法は、端末がアクティブ期間にのみ、ビーム測定及び／又はＣＳＩ測定を行うか、及び／又はアクティブ期間にのみ、参照信号を受信するよう制限することにより、ＤＲＸモードにおける端末がさらなる節電という目的を達成するようになる。
【００８０】
実施例３
図６に示すように、本開示の実施例は、端末機器４００を提供する。当該端末機器４００は、決定モジュール４０１を含む。
ここで、決定モジュール４０１は、端末が間欠受信ＤＲＸモードにある場合、第１の情報に基づいて、インアクティブ期間にある端末がＣＳＩ報告を行うか否かを決定する。ここで、第１の情報は、インアクティブ期間にある端末によるＣＳＩ報告時のＣＳＩ報告の許容、又は、インアクティブ期間にある端末によるＣＳＩ報告時の物理上り共有チャネルＰＵＳＣＨを介して報告される半永続的又は非周期的なＣＳＩ報告の禁止を指示する。
【００８１】
あるいは、第１の情報は、インアクティブ期間にある端末がＣＳＩ報告時に、ＰＵＣＣＨを介して報告される周期的なＣＳＩ報告、ＰＵＣＣＨを介して報告される半永続的なＣＳＩ報告、ＰＵＳＣＨを介して報告される半永続的なＣＳＩ報告、ＰＵＳＣＨを介して報告される非周期的なＣＳＩ報告のうち、少なくとも１つの報告を許容するよう指示する。
【００８２】
あるいは、図６に示すように、当該端末４００は、取得モジュール４０２をさらに含む。
ここで、取得モジュール４０２は、第１のＣＳＩ報告及び第２のＣＳＩ報告を取得する。ここで、第２のＣＳＩ報告は、第１のＣＳＩ報告の前回のＣＳＩ報告である。決定モジュール４０１は、具体的には、第１の情報がインアクティブ期間にある端末によるＣＳＩ報告時のＣＳＩ報告の許容を指示する場合、取得モジュール４０２により取得される第１のＣＳＩ報告及び第２のＣＳＩ報告に基づいて、インアクティブ期間にある端末が第１のＣＳＩ報告の一部又は全部を報告するか否かを決定する。
あるいは、第１のＣＳＩ報告は、少なくとも１つの第１のリソースインデックスを含み、第２のＣＳＩ報告は、少なくとも１つの第２のリソースインデックスを含み、第１のリソースインデックス及び第２のリソースインデックスは、チャネル状態情報参照信号リソースインデックス又は同期信号ブロックインデックスを含む。決定モジュール４０１は、具体的には、少なくとも１つの第１のリソースインデックスが少なくとも１つの第２のリソースインデックスと異なる場合、インアクティブ期間にある端末が第１のＣＳＩ報告の一部又は全部を報告すると決定する。
【００８３】
あるいは、第１のＣＳＩ報告は、少なくとも１つの第１のリソースインデックス及び各第１のリソースインデックスに対応する第１の率ＲＳＲＰを含み、第２のＣＳＩ報告は、少なくとも１つの第２のリソースインデックス及び各第２のリソースインデックスに対応する第２のＲＳＲＰを含み、第１のリソースインデックス及び第２のリソースインデックスは、チャネル状態情報参照信号リソースインデックス又は同期信号ブロックインデックスを含む。決定モジュール４０１は、具体的には、少なくとも１つの第１のリソースインデックスが少なくとも１つの第２のリソースインデックスと同じであり、かついずれかの第１のリソースインデックスに対応する第１のＲＳＲＰと、いずれかの第１のリソースインデックスと同じである第２のリソースインデックスに対応する第２のＲＳＲＰとの間の差分値が所定閾値以上である場合、インアクティブ期間にある端末が第１のＣＳＩ報告の一部又は全部を報告すると決定する。
【００８４】
あるいは、第１の情報は、予め定義される。
【００８５】
あるいは、図６に示すように、当該端末４００は、受信モジュール４０３をさらに含む。
ここで、受信モジュール４０３は、ネットワーク機器から送信される第１の情報を受信する。
【００８６】
あるいは、決定モジュール４０１は、さらに、第２の情報に基づいて、アクティブ期間にある端末のみが第１のイベントを行うと決定する。ここで、第２の情報は、アクティブ期間にある端末のみが第１のイベントを行うよう指示する。第１のイベントは、ビーム測定及び／又はＣＳＩ測定を含む。
あるいは、第２の情報は、予め定義される。
【００８７】
あるいは、受信モジュール４０３は、ネットワーク機器から送信される第２の情報を受信する。
【００８８】
あるいは、決定モジュール４０１は、さらに、第３の情報に基づいて、アクティブ期間にある端末のみが第１の参照信号を受信すると決定する。ここで、第３の情報は、アクティブ期間にある端末のみが第１の参照信号を受信するよう指示する。第１の参照信号は、チャネル測定用のＣＳＩ−ＲＳ、干渉測定用のＣＳＩ−ＲＳ、干渉測定用のＣＳＩ−ＩＭ、ＲＳＲＰ測定用のＣＳＩ−ＲＳ又はＳＳＢのうち、少なくとも１つを含む。
【００８９】
あるいは、第３の情報は、予め定義される。
【００９０】
あるいは、受信モジュール４０３は、さらに、ネットワーク機器から送信される第３の情報を受信する。
【００９１】
あるいは、第２の情報は、以下の少なくとも１つの条件によって指示される。
条件１：端末が第１のイベントを行う際に使用したＣＳＩ参照リソースがアクティブ期間にある。
条件２：端末がＣＳＩ参照リソースより遅れずに第１の参照信号を少なくとも一回受信する。ここで、第１の参照信号は、チャネル測定用のＣＳＩ−ＲＳ、干渉測定用のＣＳＩ−ＲＳ、干渉測定用のＣＳＩ−ＩＭ、ＲＳＲＰ測定用のＣＳＩ−ＲＳ又はＳＳＢのうち、少なくとも１つを含む。第１の参照信号は、アクティブ期間にある。
【００９２】
本開示の実施例により提供される端末は、端末がＤＲＸモードにある場合、端末が第１の情報によりインアクティブ期間にある端末がＣＳＩ報告を行うか否かを決定することで、インアクティブ期間にある端末のＤＲＸモードにおけるＣＳＩ報告の報告ルールを明確にし、通信効率及び性能を向上させることができる。
【００９３】
本開示の実施例により提供される端末機器は、上記方法実施例における図２〜図５のいずれかに示すプロセスを実現することができ、重複を避けるために、ここでは詳しく説明しない。
【００９４】
実施例４
図７は、本開示の実施例を実装するためのネットワーク機器のハードウェア構成概略図である。当該ネットワーク機器５００は、送信モジュール５０１を含む。
ここで、送信モジュール５０１は、端末がＤＲＸモードにある場合、第１の情報を端末へ送信する。ここで、第１の情報は、第１の情報に基づいてインアクティブ期間にある端末がＣＳＩ報告を行うか否かを決定するよう端末に指示する。第１の情報は、インアクティブ期間にある端末によるＣＳＩ報告時のＣＳＩ報告の許容、又は、インアクティブ期間にある端末によるＣＳＩ報告時のＰＵＳＣＨを介して報告される半永続的又は非周期的なＣＳＩ報告の禁止を指示する。
【００９５】
あるいは、送信モジュール５０１は、さらに、第２の情報を端末へ送信する。ここで、第２の情報は、第２の情報に基づいてアクティブ期間にある端末のみが第１のイベントを行うと決定するよう端末に指示する。第１の情報は、アクティブ期間にある端末のみがビーム測定及び／又はＣＳＩ測定を含む第１のイベントを行うよう指示する。
【００９６】
あるいは、送信モジュール５０１は、さらに、第３の情報を端末へ送信する。ここで、第３の情報は、第３の情報に基づいてアクティブ期間にある端末のみが第１の参照信号を受信すると決定するよう端末に指示する。第３の情報は、アクティブ期間にある端末のみが第１の参照信号を受信するよう指示する。第１の参照信号は、チャネル測定用のＣＳＩ−ＲＳ、干渉測定用のＣＳＩ−ＲＳ、干渉測定用のＣＳＩ−ＩＭ、ＲＳＲＰ測定用のＣＳＩ−ＲＳ又はＳＳＢのうち、少なくとも１つを含む。
【００９７】
あるいは、送信モジュール５０１は、さらに、アクティブ期間にのみ、第１の参照信号を端末へ送信する。
【００９８】
あるいは、第２の情報は、以下の少なくとも１つの条件によって指示される。
条件１：端末が第１のイベントを行う際に使用したＣＳＩ参照リソースがアクティブ期間にある。
条件２：ネットワーク機器は、ＣＳＩ参照リソースより遅れずに第１の参照信号を少なくとも一回送信する。ここで、第１の参照信号は、チャネル測定用のＣＳＩ−ＲＳ、干渉測定用のＣＳＩ−ＲＳ、干渉測定用のＣＳＩ−ＩＭ、ＲＳＲＰ測定用のＣＳＩ−ＲＳ又はＳＳＢのうち、少なくとも１つを含む。第１の参照信号がアクティブ期間にある。
【００９９】
本開示の実施例により提供されるネットワーク機器は、端末がＤＲＸモードにある場合、第１の情報を端末へ送信することにより、第１の情報に基づいてインアクティブ期間にある端末がＣＳＩ報告を行うか否かを決定するよう端末に指示して、インアクティブ期間にある端末のＤＲＸモードにおけるＣＳＩ報告の報告ルールを明確にし、通信効率及び性能を向上させることができる。
【０１００】
本開示の実施例により提供されるネットワーク機器は、上記方法実施例における図２〜図５のいずれかに示すプロセスを実現することができ、重複を避けるために、ここでは詳しく説明しない。
【０１０１】
実施例５
図８は、本開示の各実施例を実装する端末のハードウェア構成概略図である。端末１００は、ＲＦ（Ｒａｄｉｏ  Ｆｒｅｑｕｅｎｃｙ：無線周波数）部１０１や、ネットワークモジュール１０２、音声出力部１０３、入力部１０４、センサ１０５、表示部１０６、ユーザ入力部１０７、インタフェース部１０８、メモリ１０９、プロセッサ１１０、電源１１１などの構成要素を含むが、これらに限定されない。図８に示される端末１００の構成が端末を限定するものではなく、端末１００が図示よりも多いか又は少ない構成要素を含むか、又はいくつかの構成要素を組み合わせるか、又は異なる構成要素の配置をなすことを当業者が理解するであろう。本開示の実施例では、端末１００は、ハンドセットや、タブレット、ノート型パソコン、パームトップ型コンピュータ、車両搭載端末、ウェアラブル機器、歩数計などを含むが、これらに限定されない。
ここで、プロセッサ１１０は、端末がＤＲＸモードにある場合、第１の情報に基づいて、インアクティブ期間にある端末がＣＳＩ報告を行うか否かを決定する。ここで、第１情報は、インアクティブ期間にある端末によるＣＳＩ報告時のＣＳＩ報告の許容、又は、インアクティブ期間にある端末によるＣＳＩ報告時のＰＵＳＣＨを介して報告される半永続的又は非周期的なＣＳＩ報告の禁止を指示する。
【０１０２】
本開示の実施例により提供される端末は、端末がＤＲＸモードにある場合、端末が第１の情報によりインアクティブ期間にある端末がＣＳＩ報告を行うか否かを決定することで、インアクティブ期間にある端末のＤＲＸモードにおけるＣＳＩ報告の報告ルールを明確にし、通信効率及び性能を向上させることができる。
【０１０３】
なお、本開示の実施例では、ＲＦ部１０１は、メッセージの送受信又は通話中に、信号の送受信を行う。具体的には、基地局からの下りデータを受信した後、プロセッサ１１０に処理させる。なお、上りのデータを基地局に送信する。一般的には、ＲＦ部１０１は、アンテナや、少なくとも１つの増幅器、送受信機、結合器、低雑音増幅器、デュプレクサなどを含むが、これらに限定されない。また、ＲＦ部１０１は、無線通信システムを介してネットワークや他の機器と通信することもできる。
【０１０４】
端末１００は、ネットワークモジュール１０２を介して、ユーザの電子メールの送受信や、ウェブページの閲覧、ストリーミングメディアのアクセスなどに寄与するような無線ブロードバンドインターネットアクセスをユーザに提供する。
【０１０５】
音声出力部１０３は、ＲＦ部１０１又はネットワークモジュール１０２により受信された、又はメモリ１０９に記憶された音声データを音声信号に変換して音声として出力することができる。また、音声出力部１０３は、端末１００が実行する特定の機能に関する音声出力（例えば、呼出信号の着信音、メッセージの着信音など）を提供することもできる。音声出力部１０３は、スピーカ、ブザー、受話器等を含む。
【０１０６】
入力部１０４は、音声信号又は映像信号を受信する。入力部１０４はＧＰＵ１０４１及びマイクロフォン１０４２を含み得る。グラフィックプロセッサ１０４１は、映像撮影モード又は画像撮影モードでカメラのような画像撮影装置によって取得された静止画又は映像の画像データを処理する。処理された画像フレームは、表示部１０６に表示することができる。グラフィックプロセッサ１０４１によって処理された画像フレームは、メモリ１０９（又は他の記憶媒体）に記憶されてもよく、あるいは、ＲＦ部１０１又はネットワークモジュール１０２を介して送信されてもよい。マイクロフォン１０４２は、音声を受信し、音声データになるよう処理することができる。処理された音声データは、電話の通話モードの場合、ＲＦ部１０１を介して移動通信基地局に送信可能なフォーマットに変換されて出力される。
【０１０７】
端末１００は、光センサ、動きセンサ及び他のセンサのようなセンサ１０５をさらに少なくとも１つ含む。具体的には、光センサは、周辺光の明暗によって表示パネル１０６１の輝度を調節可能な周辺光センサと、端末１００が耳元に移動すると表示パネル１０６１及び／又はバックライトをオフする近接センサとを含む。動きセンサの１つとして、加速度計センサは、各方向（一般的には３軸）の加速度の大きさを検出可能であり、静止時に重力の大きさ及び方向を検出可能であり、端末の姿勢識別（例えば、縦横画面の切り替え、関連ゲーム、磁力計の姿勢較正）や、振動認識関連機能（例えば、歩数計、タップ）などを行うことができる。センサ１０５は、指紋センサや、圧力センサ、虹彩センサ、分子センサ、ジャイロスコープ、気圧計、湿度計、温度計、赤外線センサなどをさらに含んでもよく、ここで詳しく説明しない。
【０１０８】
表示部１０６は、ユーザが入力した情報やユーザに提供する情報を表示する。表示部１０６は、表示パネル１０６１を含み得る。表示パネル１０６１は、ＬＣＤ、ＯＬＥＤなどの形態で構成されてもよい。
【０１０９】
ユーザ入力部１０７は、入力された数字や文字を受信し、端末１００のユーザ設定及び機能制御に関するキー信号入力を生じる。具体的には、ユーザ入力部１０７は、タッチパネル１０７１、及びその他の入力装置１０７２を含む。タッチパネル１０７１は、タッチスクリーンとも呼ばれ、ユーザによるタッチパネル１０７１上及び近傍のタッチ操作（例えば、ユーザが指、スタイラスなどの任意の適切な物体又は付属物を用いてタッチパネル１０７１上又はタッチパネル１０７１の近傍で行う操作）を収集することができる。タッチパネル１０７１は、タッチ検出装置とタッチコントローラという２つの部分を含んでもよい。タッチ検出装置は、ユーザのタッチ方位を検出し、タッチ操作による信号を検出して、信号をタッチコントローラに伝送する。タッチコントローラは、タッチ検出装置からタッチ情報を受信し、それをタッチ点座標に変換してプロセッサ１１０に送り、プロセッサ１１０からのコマンドを受信して実行する。また、タッチパネル１０７１は、抵抗式、静電容量式、赤外線式、表面弾性波式など、複数の方式により実現することができる。ユーザ入力部１０７は、タッチパネル１０７１に加えて、他の入力装置１０７２を含んでもよい。具体的には、他の入力装置１０７２は、物理キーボード、機能キー（例えば、音量制御ボタン、スイッチボタンなど）、トラックボール、マウス、ジョイスティックを含み得るが、それらに限定されず、ここでは、詳しく説明しない。
【０１１０】
さらに、タッチパネル１０７１は、表示パネル１０６１上に被覆可能であり、タッチパネル１０７１は、タッチパネル１０６１上又は近傍でのタッチ操作を検出すると、プロセッサ１１０に送信してタッチイベントの種類を決定する。その後、プロセッサ１１０は、タッチイベントの種類に応じて表示パネル１０６１に対応する視覚出力を提供する。図８では、タッチパネル１０７１と表示パネル１０６１は、２つの別個の構成要素として端末１００の入出力機能を実現するが、一部の実施例では、タッチパネル１０７１と表示パネル１０６１を集積して端末１００の入出力機能を実現してもよく、ここでは具体的に限定しない。
【０１１１】
インターフェース部１０８は、外部装置が端末１００に接続するためのインターフェースである。例えば、外部装置は、有線又は無線ヘッドセットポート、外部電源（又はバッテリチャージャ）ポート、有線又は無線データポート、メモリカードポート、識別モジュールを有する装置を接続するためのポート、オーディオ入出力（Ｉ／Ｏ）ポート、ビデオＩ／Ｏポート、ヘッドセットポートなどを含み得る。インターフェース部１０８は、外部装置から入力（例えば、データ情報、電力など）を受信し、受信した入力を端末１００内の１つ以上の素子に伝送するために使用されてもよく、又は端末１００と外部装置との間でデータを伝送するために使用されてもよい。
【０１１２】
メモリ１０９は、ソフトウェアプログラムや各種データを記憶する。メモリ１０９は、主として、オペレーティングシステム（ＯＳ）、少なくとも１つの機能に必要なアプリケーション（例えば、音声再生機能、画像再生機能など）などを記憶可能な記憶プログラム領域と、ハンドセットの使用に応じて作成されたデータ（例えば、音声データ、電話帳など）などを記憶可能な記憶データ領域と、を含み得る。また、メモリ１０９は、高速ランダムアクセスメモリを含んでもよく、例えば、少なくとも１つの磁気ディスク記憶デバイス、フラッシュメモリデバイスのような不揮発性メモリ、又は他の揮発性固体記憶デバイスをさらに含んでもよい。
【０１１３】
プロセッサ１１０は、端末１００の制御センターであり、端末１００全体の各部を様々なインターフェース及び回路で接続し、メモリ１０９内に記憶されたソフトウェアプログラム及び／又はモジュールを実行したり、メモリ１０９に記憶されたデータを呼び出したりすることにより、端末１００の様々な機能を実行し、データ処理を行い、端末１００全体のモニタリングを行う。プロセッサ１１０は、１つ以上の処理部を含み得る。あるいは、プロセッサ１１０は、オペレーティングシステムや、ユーザインターフェース、アプリケーションなどを主に処理するアプリケーションプロセッサと、無線通信を主に処理するモデムプロセッサとを集積してもよい。なお、モデムプロセッサは、プロセッサ１１０に集積されなくてもよい。
【０１１４】
端末１００は、各構成要素に電力を供給するための電源１１１（例えば、バッテリ）をさらに含んでもよく、あるいは、電源１１１は、電源管理システムを介してプロセッサ１１０と論理的に接続されてもよく、これにより、電源管理システムで、充放電管理、及び消費電力管理などの機能を実現することができる。
【０１１５】
なお、端末１００は、いくつかの図示しない機能ブロックを含み、ここでは詳しく説明しない。
【０１１６】
実施例６
図９は、本開示の実施例を実現するネットワーク機器のハードウェア構成概略図である。ネットワーク機器８００は、プロセッサ８０１、送受信機８０２、メモリ８０３、ユーザインターフェース８０４、及びバスインターフェースを含む。
ここで、送受信機８０２は、端末がＤＲＸモードにある場合、第１の情報を端末へ送信する。第１の情報は、第１の情報に基づいてインアクティブ期間にある端末がＣＳＩ報告を行うか否かを決定するよう端末に指示する。第１の情報は、インアクティブ期間にある端末がＣＳＩ報告時にＣＳＩ報告を行うことを許容するか、又は、インアクティブ期間にある端末がＣＳＩ報告時にＰＵＳＣＨを介して報告される半永続的又は非周期的なＣＳＩ報告を行うことを禁止するかを指示する。
【０１１７】
本開示の実施例により提供されるネットワーク機器は、端末がＤＲＸモードにある場合、第１の情報を端末へ送信することにより、第１の情報に基づいてインアクティブ期間にある端末がＣＳＩ報告を行うか否かを決定するよう端末に指示して、インアクティブ期間にある端末のＤＲＸモードにおけるＣＳＩ報告の報告ルールを明確にし、通信効率及び性能を向上させることができる。
【０１１８】
本開示の実施例では、図９において、バスアーキテクチャは、任意の数の相互接続されたバス及びブリッジを含み得る。具体的には、プロセッサ８０１を代表とする１つ以上のプロセッサ及びメモリ８０３を代表とするメモリが様々な回路で接続される。バスアーキテクチャは、周辺機器、電圧レギュレータ、及び電力管理回路などの様々な他の回路を接続可能であるが、それらは当分野における周知技術であるため、本明細書ではこれ以上説明しない。バスインターフェースはインターフェースを提供する。送受信機８０２は、複数の素子であってもよく、すなわち、送信機及び受信機を含み、伝送媒体上で各種の他の装置と通信するための手段を提供する。異なるユーザ機器に対して、ユーザインターフェース８０４は、さらに、所要の機器を外部・内部接続可能なインターフェースであってもよく、接続される機器は、キーパッド、ディスプレイ、スピーカ、マイクロフォン、ジョイスティックなどを含むが、これらに限定されない。プロセッサ８０１は、バスアーキテクチャの管理と通常の処理を担い、メモリ８０３は、プロセッサ８０１が操作を実行する際に使用するデータを記憶することができる。
【０１１９】
なお、ネットワーク機器８００は、図示されていないいくつかの機能ブロックをさらに含むが、ここでは詳しく説明しない。
【０１２０】
実施例７
あるいは、本開示の実施例は、プロセッサと、メモリと、メモリに記憶されかつプロセッサにより実行可能なコンピュータプログラムとを含む端末機器をさらに提供する。当該コンピュータプログラムがプロセッサによって実行されると、上記実施例１に適用する情報報告方法のプロセスを実現し、同様な技術的効果を達成することができ、重複を避けるために、ここでは詳しく説明しない。
【０１２１】
あるいは、本開示の実施例は、プロセッサと、メモリと、メモリに記憶されかつプロセッサにより実行可能なコンピュータプログラムと、を含むネットワーク機器をさらに提供する。当該コンピュータプログラムがプロセッサによって実行されると、上記実施例１に適用する情報報告方法のプロセスを実現し、同様な技術的効果を達成することができ、重複を避けるために、ここでは詳しく説明しない。
【０１２２】
本開示の実施例は、コンピュータプログラムを記憶したコンピュータ読み取り可能な記憶媒体をさらに提供する。該コンピュータプログラムがプロセッサによって実行されると、上記実施例に適用する情報報告方法の複数のプロセスを実現し、同様な技術的効果を達成することができ、重複を避けるため、ここでは詳しく説明しない。ここで、コンピュータ読み取り可能な記憶媒体は、ＲＯＭや、ＲＡＭ、磁気ディスク、光ディスクなどである。
【０１２３】
本開示の実施例は、コンピュータプログラムを記憶したコンピュータ読み取り可能な記憶媒体をさらに提供する。該コンピュータプログラムがプロセッサによって実行されると、上記ランダムアクセス方法の実施例に適用する情報報告方法の複数のプロセスを実現し、同様な技術的効果を達成することができ、重複を避けるため、ここでは詳しく説明しない。ここで、コンピュータ読み取り可能な記憶媒体は、ＲＯＭや、ＲＡＭ、磁気ディスク、光ディスクなどである。
【０１２４】
なお、本明細書では、用語「含む」、「含まれる」、又はそれらの任意の他の変化は、非排他的な包含をカバーすることが意図され、これにより、一連の要素を含むプロセス、方法、物品、又は装置は、それらの要素だけでなく、明示的に列挙されていない他の要素も含み、あるいは、このようなプロセス、方法、物品、又は装置に固有の要素も含む。「・・・を１つ含む」という表現によって限定される要素は、これ以上の制限がない限り、当該要素を含むプロセス、方法、物品、又は装置内に他の同様な要素が存在することを除外しない。
【０１２５】
以上の実施形態の説明により、上記実施例の方法が、ソフトウェアに、必要な汎用ハードウェアプラットフォームを加えた方式で実現でき、当然のことながら、ハードウェアによって実現することもできるが、多くの場合、前者がより好ましい実施形態であることを当業者が明確に理解することができる。このような理解に基づいて、本開示の技術的手段は、本質的に、言い換えると関連技術に貢献する部分は、ソフトウェア製品の形態で具体化されてもよい。本開示の複数の実施例に記載された方法を端末（ハンドセット、コンピュータ、サーバ、空調機、又はネットワーク機器などであってもよい）に実行させるための若干の命令を含む該コンピュータソフトウェア製品は、記憶媒体（例えば、ＲＯＭ／ＲＡＭ、磁気ディスク、光ディスク）に記憶される。
【０１２６】
以上、本開示の実施例について図面を参照して説明したが、本開示は、上述の具体的な実施形態に限定されるものではなく、上述の具体的な実施形態は、単なる例示的なものであって、限定的なものではない。当業者が本開示の教示を受けて本開示の要旨及び特許請求の範囲から逸脱することなくなし得る多くの形態は、いずれも本開示の保護範囲に含まれる。
【図１】
2021517434.tif 000004
【図２】
2021517434.tif 000005
【図３】
2021517434.tif 000006
【図４】
2021517434.tif 000007
【図５】
2021517434.tif 000008
【図６】
2021517434.tif 000009
【図７】
2021517434.tif 000010
【図８】
2021517434.tif 000011
【図９】
2021517434.tif 000012
【手続補正書】
【提出日】令和2年10月22日(2020.10.22)
【手続補正１】
【補正対象書類名】明細書
【補正対象項目名】０１０１
【補正方法】変更
【補正の内容】
【０１０１】
実施例５
図８は、本開示の各実施例を実装する端末のハードウェア構成概略図である。端末１０００は、ＲＦ（Ｒａｄｉｏ  Ｆｒｅｑｕｅｎｃｙ：無線周波数）部１０１や、ネットワークモジュール１０２、音声出力部１０３、入力部１０４、センサ１０５、表示部１０６、ユーザ入力部１０７、インタフェース部１０８、メモリ１０９、プロセッサ１１０、電源１１１などの構成要素を含むが、これらに限定されない。図８に示される端末１０００の構成が端末を限定するものではなく、端末１０００が図示よりも多いか又は少ない構成要素を含むか、又はいくつかの構成要素を組み合わせるか、又は異なる構成要素の配置をなすことを当業者が理解するであろう。本開示の実施例では、端末１０００は、ハンドセットや、タブレット、ノート型パソコン、パームトップ型コンピュータ、車両搭載端末、ウェアラブル機器、歩数計などを含むが、これらに限定されない。
ここで、プロセッサ１１０は、端末がＤＲＸモードにある場合、第１の情報に基づいて、インアクティブ期間にある端末がＣＳＩ報告を行うか否かを決定する。ここで、第１情報は、インアクティブ期間にある端末によるＣＳＩ報告時のＣＳＩ報告の許容、又は、インアクティブ期間にある端末によるＣＳＩ報告時のＰＵＳＣＨを介して報告される半永続的又は非周期的なＣＳＩ報告の禁止を指示する。
【手続補正２】
【補正対象書類名】明細書
【補正対象項目名】０１２３
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
端末に適用する情報報告方法であって、
前記端末が間欠受信ＤＲＸモードにある場合、第１の情報に基づいて、インアクティブ期間にある前記端末がチャネル状態情報ＣＳＩ報告を行うか否かを決定することを含み、
前記第１の情報は、インアクティブ期間にある前記端末によるチャネル状態情報ＣＳＩ報告時の前記チャネル状態情報ＣＳＩ報告の許容、又は、インアクティブ期間にある前記端末によるチャネル状態情報ＣＳＩ報告時の物理上り共有チャネルＰＵＳＣＨを介して報告される半永続的又は非周期的なチャネル状態情報ＣＳＩ報告の禁止を指示する情報報告方法。
【請求項２】
前記第１の情報は、インアクティブ期間にある前記端末がＣＳＩ報告時に、物理上りリンク制御チャネルＰＵＣＣＨを介して報告される周期的なＣＳＩ報告、ＰＵＣＣＨを介して報告される半永続的なＣＳＩ報告、ＰＵＳＣＨを介して報告される半永続的なＣＳＩ報告、ＰＵＳＣＨを介して報告される非周期的なＣＳＩ報告のうち、少なくとも１つを報告することを許容するよう指示する、請求項１に記載の情報報告方法。
【請求項３】
前記第１の情報に基づいて、インアクティブ期間にある前記端末がＣＳＩ報告を行うか否かを決定することの前に、
第１のＣＳＩ報告、及び前記第１のＣＳＩ報告の前回のＣＳＩ報告である第２のＣＳＩ報告を取得することをさらに含み、
前記第１の情報に基づいて、インアクティブ期間にある前記端末がＣＳＩ報告を行うか否かを決定することは、
前記第１の情報が、インアクティブ期間にある前記端末によるＣＳＩ報告時のＣＳＩ報告の許容を指示する場合、前記第１のＣＳＩ報告及び前記第２のＣＳＩ報告に基づいて、インアクティブ期間にある前記端末が前記第１のＣＳＩ報告の一部又は全部を報告するか否かを決定することを含む、請求項１に記載の情報報告方法。
【請求項４】
前記第１のＣＳＩ報告は、少なくとも１つの第１のリソースインデックスを含み、前記第２のＣＳＩ報告は、少なくとも１つの第２のリソースインデックスを含み、前記第１のリソースインデックス及び前記第２のリソースインデックスはそれぞれ、チャネル状態情報参照信号リソースインデックス又は同期信号ブロックインデックスを含み、
前記第１のＣＳＩ報告及び前記第２のＣＳＩ報告に基づいて、インアクティブ期間にある前記端末が前記第１のＣＳＩ報告の一部又は全部を報告するか否かを決定することは、
前記少なくとも１つの第１のリソースインデックスが前記少なくとも１つの第２のリソースインデックスと異なる場合、インアクティブ期間にある前記端末が前記第１のＣＳＩ報告の一部又は全部を報告すると決定することを含む、請求項３に記載の情報報告方法。
【請求項５】
前記第１のＣＳＩ報告は、少なくとも１つの第１のリソースインデックス及び各第１のリソースインデックスに対応する第１の参照信号受信電力ＲＳＲＰを含み、前記第２のＣＳＩ報告は、少なくとも１つの第２のリソースインデックス及び各第２のリソースインデックスに対応する第２のＲＳＲＰを含み、前記第１のリソースインデックス及び前記第２のリソースインデックスはそれぞれ、チャネル状態情報参照信号リソースインデックス又は同期信号ブロックインデックスを含み、
前記第１のＣＳＩ報告及び前記第２のＣＳＩ報告に基づいて、インアクティブ期間にある前記端末が前記第１のＣＳＩ報告の一部又は全部を報告するか否かを決定することは、
前記少なくとも１つの第１のリソースインデックスが前記少なくとも１つの第２のリソースインデックスと同じであり、かついずれかの第１のリソースインデックスに対応する第１のＲＳＲＰと、前記いずれかの第１のリソースインデックスと同じである第２のリソースインデックスに対応する第２のＲＳＲＰとの間の差分値が所定閾値以上である場合、インアクティブ期間にある前記端末が前記第１のＣＳＩ報告の一部又は全部を報告すると決定することを含む、請求項３に記載の情報報告方法。
【請求項６】
第２の情報に基づいて、アクティブ期間にある前記端末のみが第１のイベントを行うと決定することをさらに含み、前記第２の情報は、アクティブ期間にある前記端末のみが、ビーム測定及び／又はＣＳＩ測定を含む前記第１のイベントを行うよう指示する、請求項１に記載の情報報告方法。
【請求項７】
前記第２の情報は、予め定義され、又は、
前記第２の情報に基づいて、アクティブ期間にある前記端末のみが第１のイベントを行うと決定することの前に、ネットワーク機器から送信される前記第２の情報を受信することをさらに含む、請求項６に記載の情報報告方法。
【請求項８】
前記第２の情報は、
前記端末が第１のイベントを行う際に使用したＣＳＩ参照リソースがアクティブ期間にある条件１と、
前記端末が前記ＣＳＩ参照リソースより遅れずに第１の参照信号を少なくとも一回受信する条件２とのうち、少なくとも１つの条件によって指示され、
前記第１の参照信号は、チャネル測定用のチャネル状態情報参照信号ＣＳＩ−ＲＳ、干渉測定用のＣＳＩ−ＲＳ、干渉測定用のＣＳＩ−ＩＭ、参照信号受信電力ＲＳＲＰ測定用のＣＳＩ−ＲＳ又は同期信号ブロックＳＳＢのうち、少なくとも１つを含み、前記第１の参照信号は、アクティブ期間にある、請求項６に記載の情報報告方法。
【請求項９】
ネットワーク機器に適用する情報報告方法であって、
端末が間欠受信ＤＲＸモードにある場合、第１の情報を前記端末へ送信することを含み、
前記第１の情報は、前記第１の情報に基づいてインアクティブ期間にある前記端末がチャネル状態情報ＣＳＩ報告を行うか否かを決定するよう前記端末に指示し、前記第１の情報は、インアクティブ期間にある前記端末によるチャネル状態情報ＣＳＩ報告時の前記チャネル状態情報ＣＳＩ報告の許容、又は、インアクティブ期間にある前記端末によるチャネル状態情報ＣＳＩ報告時の物理上り共有チャネルＰＵＳＣＨを介して報告される半永続的又は非周期的なチャネル状態情報ＣＳＩ報告の禁止を指示する情報報告方法。
【請求項１０】
第２の情報を前記端末へ送信することをさらに含み、
前記第２の情報は、前記第２の情報に基づいてアクティブ期間にある前記端末のみが第１のイベントを行うと決定するよう前記端末に指示し、前記第１の情報は、アクティブ期間にある前記端末のみが、ビーム測定及び／又はＣＳＩ測定を含む前記第１のイベントを行うよう指示する、請求項９に記載の情報報告方法。
【請求項１１】
前記第２の情報は、
前記端末が前記第１のイベントを行う際に使用したＣＳＩ参照リソースがアクティブ期間にある条件１と、
前記ネットワーク機器が前記ＣＳＩ参照リソースより遅れずに第１の参照信号を少なくとも一回送信する条件２とのうち、少なくとも１つの条件によって指示され、
前記第１の参照信号は、チャネル測定用のチャネル状態情報参照信号ＣＳＩ−ＲＳ、干渉測定用のＣＳＩ−ＲＳ、干渉測定用のＣＳＩ−ＩＭ、参照信号受信電力ＲＳＲＰ測定用のＣＳＩ−ＲＳ又は同期信号ブロックＳＳＢのうち、少なくとも１つを含み、前記第１の参照信号は、アクティブ期間にある、請求項１０に記載の情報報告方法。
【請求項１２】
端末であって、
前記端末が間欠受信ＤＲＸモードにある場合、第１の情報に基づいて、インアクティブ期間にある前記端末がチャネル状態情報ＣＳＩ報告を行うか否かを決定するための決定モジュールを含み、
前記第１の情報は、インアクティブ期間にある前記端末によるチャネル状態情報ＣＳＩ報告時の前記チャネル状態情報ＣＳＩ報告の許容、又は、インアクティブ期間にある前記端末によるチャネル状態情報ＣＳＩ報告時の物理上り共有チャネルＰＵＳＣＨを介して報告される半永続的又は非周期的なチャネル状態情報ＣＳＩ報告の禁止を指示する、端末。
【請求項１３】
前記決定モジュールは、第２の情報に基づいて、アクティブ期間にある前記端末のみが第１のイベントを行うと決定することにさらに用いられ、前記第２の情報は、アクティブ期間にある前記端末のみが、ビーム測定及び／又はＣＳＩ測定を含む前記第１のイベントを行うよう指示する、請求項１２に記載の端末。
【請求項１４】
前記第２の情報は、
前記端末が第１のイベントを行う際に使用したＣＳＩ参照リソースがアクティブ期間にある条件１と、
前記端末が前記ＣＳＩ参照リソースより遅れずに第１の参照信号を少なくとも一回受信する条件２とのうち、少なくとも１つの条件によって指示され、
前記第１の参照信号は、チャネル測定用のチャネル状態情報参照信号ＣＳＩ−ＲＳ、干渉測定用のＣＳＩ−ＲＳ、干渉測定用のＣＳＩ−ＩＭ、参照信号受信電力ＲＳＲＰ測定用のＣＳＩ−ＲＳ又は同期信号ブロックＳＳＢのうち、少なくとも１つを含み、前記第１の参照信号は、アクティブ期間にある、請求項１３に記載の端末。
【請求項１５】
ネットワーク機器であって、
端末が間欠受信ＤＲＸモードにある場合、第１の情報を端末へ送信するための送信モジュールを含み、
前記第１の情報は、前記第１の情報に基づいてインアクティブ期間にある前記端末がチャネル状態情報ＣＳＩ報告を行うか否かを決定するよう前記端末に指示し、前記第１の情報は、インアクティブ期間にある前記端末によるチャネル状態情報ＣＳＩ報告時の前記チャネル状態情報ＣＳＩ報告の許容、又は、インアクティブ期間にある前記端末によるチャネル状態情報ＣＳＩ報告時の物理上り共有チャネルＰＵＳＣＨを介して報告される半永続的又は非周期的なチャネル状態情報ＣＳＩ報告の禁止を指示する、ネットワーク機器。
【国際調査報告】
2021517434.tif 000013
2021517434.tif 000014
2021517434.tif 000015
2021517434.tif 000016